(57)【要約】【課題】本発明は、温水を用いる洗い運転において、衣類を傷めにくい洗濯機を提供する。【解決手段】本発明における洗濯機は、パルセータ７と、布量検知手段１８と、水位検知手段２１と、温水ヒータ２２と、制御手段１１と、を備える。制御手段１１は、温水洗い運転において、洗濯物量に応じた水位よりも低い所定の水位まで給水を行うとともに、所定の水温となるまで温水ヒータ２２による加熱を行い、続いて、低水位洗い運転を行う。その後、洗濯物量に応じた水位まで給水するとともに、所定の水温となるまで温水ヒータ２２による加熱を行い、洗い運転を行う。また、制御手段１１は、低水位洗い運転では、パルセータ７による攪拌回転と、パルセータ７による攪拌回転よりも長時間の停止を、交互に行う。これにより、洗濯物が絡みやすい低水位洗い運転において、洗濯物が絡むことを抑制できる。従って、温水洗い運転において、洗濯物を傷めにくい。【選択図】図３
2019187571.tif 000002
【特許請求の範囲】
【請求項１】
筺体と、
前記筺体の内部に支持された外槽と、
前記外槽の内部に回転自在に支持され、洗濯物を収容する内槽と、
前記内槽の内底部に回転自在に設けられた回転体と、
前記内槽又は前記回転体を回転駆動する駆動部と、
前記内槽の内部に収容された洗濯物の量を検知する布量検知部と、
前記内槽に給水する給水部と、
前記内槽の内部の水位を検知する水位検知部と、
前記外槽に設けられ、前記内槽に貯められた水を加熱する加熱部と、
前記駆動部、前記給水部、前記加熱部を制御し、温水洗い運転を実行する制御部と、
を備え、
前記制御部は、前記温水洗い運転において、前記布量検知部が検知した洗濯物量に応じた水位よりも低い所定の水位まで、前記給水部による給水を行うとともに、所定の水温となるまで前記加熱部による加熱を行い、続いて、回転体による攪拌回転と回転停止を交互に行うことで低水位洗い運転を行い、その後、洗濯物量に応じた水位まで給水するとともに、所定の水温となるまで前記加熱部による加熱を行い、続いて洗い運転を行う、
洗濯機。
【請求項２】
前記制御部は、前記温水洗い運転において、所定の水温となるまで、前記加熱部による加熱と、前記回転体による攪拌と、を交互に行い、続く低水位洗い運転では、前記回転体による攪拌回転と、前記攪拌回転よりも長時間の停止を、交互に行う、
請求項１に記載の洗濯機。
【発明の詳細な説明】
【技術分野】
【０００１】
本開示は、衣類および洗濯水を攪拌する洗濯機に関する。
【背景技術】
【０００２】
特許文献１は、設定水位より低い所定水位で、洗濯工程を行う洗濯機を開示する。この洗濯機は、洗濯機外枠と、洗濯機外枠に吊り下げられた外槽と、外槽の内に回転自在に配設した洗濯兼脱水槽と、洗濯兼脱水槽を回転駆動させるモータと、洗濯兼脱水槽内に水を給水する給水部と、水位検知部と、外槽内の水位を検知する水位検知部と、モータ、給水弁などの動作を制御し、洗い、すすぎ、脱水などの一連の洗濯行程を逐次制御する制御装置と、を備える。制御装置は、設定水位までの給水途中において、設定水位より低い少なくとも１段階の所定水位で、給水を一時停止し、洗濯兼脱水槽を間欠的に回転駆動する行程と、設定水位での洗い行程を有する。
【先行技術文献】
【特許文献】
【０００３】
【特許文献１】特開２０００−０００３８９号公報
【発明の概要】
【発明が解決しようとする課題】
【０００４】
本開示は、温水を用いる洗濯運転において、衣類を傷めにくい洗濯機を提供する。
【課題を解決するための手段】
【０００５】
本開示における洗濯機は、筺体と、外槽と、内槽と、回転体と、駆動部と、布量検知部と、給水部と、水位検知部と、加熱部と、制御部と、を備える。外槽は、筺体の内部に支持される。内槽は、外槽の内部に回転自在に支持され、洗濯物を収容する。回転体は、内槽の内底部に回転自在に設けられる。駆動部は、内槽又は回転体を回転駆動する。布量検知部は、内槽の内部に収容された洗濯物の量を検知する。給水部は、内槽に給水する。水位検知部は、内槽の内部の水位を検知する。加熱部は、外槽に設けられ、内槽に貯められた水を加熱する。制御部は、駆動部、給水部、加熱部を制御し、温水洗い運転を実行する。また、制御部は、温水洗い運転において、布量検知部が検知した洗濯物量に応じた水位よりも低い所定の水位まで、給水部による給水を行うとともに、所定の水温となるまで前記加熱部による加熱を行い、続いて、回転体による攪拌回転と回転停止を交互に行うことで低水位洗い運転を行い、その後、洗濯物量に応じた水位まで給水するとともに、所定の水温となるまで加熱部による加熱を行い、続いて洗濯運転を行う。
【発明の効果】
【０００６】
本開示における洗濯機は、温水を用いる洗い運転において、衣類を傷めにくい。
【図面の簡単な説明】
【０００７】
【図１】実施の形態１における洗濯機の縦断面模式図
【図２】同洗濯機の制御手段のブロック図
【図３】同洗濯機の温水洗濯運転に関するシーケンスを示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長にな
るのを避け、当業者の理解を容易にするためである。
【０００９】
なお、添付図面および以下の説明は、当業者が本開示を十分に理解するために提供されるのであって、これらにより特許請求の範囲に記載の主題を限定することを意図していない。
【００１０】
（実施の形態１）
図１は本発明の実施の形態１における洗濯機の側断面図、図２は同洗濯機の洗い、すすぎ、脱水のシーケンス表を示す図、図３は、同洗濯機の温水洗濯運転に関するシーケンスを示す図である。
【００１１】
図１において、洗濯機は、筺体１と、外槽３と、内槽４と、を備える。
【００１２】
筺体１内には、外槽３が、サスペンション機構２により弾性支持されている。外槽３は、上面を開口した有底円筒状であり、同様に円筒状である内槽４を内包している。内槽４は、回転中心軸が鉛直方向となるように、外槽３内に回転自在に設置されている。
【００１３】
筺体１は、外槽３及び内槽４の開口に対応する位置に、開口を有する。筺体１の上部には、筺体１の開口を覆うように、外蓋１７が開閉自在に設けられる。また、外蓋１７の後方には操作表示部２５が設けられる。ユーザは、操作表示部２５を介して、洗濯運転に関するコースやパラメータを入力することができる。
【００１４】
筺体１上部には、内槽４に給水する給水弁１４が設けられている。給水弁１４には、洗剤を収容する洗剤収容容器１５、柔軟剤を収容する柔軟剤収容容器１６が連結されており、給水弁１４が洗剤収容容器１５側に開放されることで、洗剤と水が内槽４内に供給され、給水弁１４が柔軟剤収容容器１６側に開放されることで、柔軟剤と水が内槽４内に供給される。
【００１５】
外槽の後方下部には、排水ダクト１２が設けられ、排水弁１３へ水を導入する。排水弁１３には、排水ホース２０が接続され、機外に排水するよう構成されている。
【００１６】
外槽３の下方には、モータ１０が配置される。内槽４の内底部には、パルセータ７が設けられる。内槽４とパルセータ７は、洗濯軸８及び脱水軸９を介し、モータ１０に連結されている。クラッチ（図示せず）を切り替えることにより、モータ１０の回転駆動力は洗濯軸８、又は洗濯軸８と脱水軸９の両方に伝達される。回転駆動力が、洗濯軸８に伝達されると、パルセータ７が回転する。回転駆動力が、洗濯軸８と脱水軸９の両方に伝達されると、内槽４及びパルセータ７が回転する。
【００１７】
また、内槽４の上部には、流体バランサ６が装着されており、流体バランサ６は、洗濯物のアンバランスを矯正する方向に力が働くような機能を有している。さらに、内槽４の側壁には、脱水孔５が設けられている。
【００１８】
パルセータ７の上面には、上方に突出した攪拌用突出部１９が複数設けられている。
【００１９】
外槽３の下部には、温水ヒータ２２が配設される。温水ヒータ２２は、外槽３の内部に貯められた水を温める。温水ヒータ２２により温められた水は、パルセータ７により水中全体に拡散される。温水ヒータ２２の近傍には、温度検知手段２４が設けられ、外槽３の内部に貯められた水の温度を検知する。
【００２０】
筺体１上部には、外槽３内の水位を検知する水位検知手段２１が設けられ、接続ホース
２３にて外槽３の下部と連結している。
【００２１】
筺体１の後方内部には、制御手段１１が設けられる。図２において、制御手段１１は、操作表示部２５と、水位を検知する水位検知手段２１と、内槽４に収容された洗濯物の量を検知する布量検知手段１８と、内槽４内の水の温度を検知する温度検知手段２４と、洗濯運転に関する各種シーケンスなどを記憶する記憶手段３０と、電気的に接続されている。また、制御手段１１は、負荷駆動手段２６を介して、給水弁１４、排水弁１３、モータ１０、温水ヒータ２２などを動作させ、洗濯運転を実行する。
【００２２】
以上の構成における、温水洗い運転の動作を、図３を用いて説明する。
【００２３】
使用者が外蓋１７を開けて、内槽４に洗濯物を投入し、運転コースを設定して運転を開始すると、洗い工程が開始される。初めに、布量検知手段１８にて投入された洗濯物量を検知（Ｐ１）し、制御手段１１にて洗濯物量に応じた水位（決定水位）、洗剤量の決定および以降のシーケンスの仮決定を行う。
【００２４】
次に、給水弁１４を洗剤収容容器１５側に開いて動作させる（Ｐ２）。すると、内槽４内に洗剤と水が給水され、洗濯物量に応じた水位（決定水位）より低い水位Ａまで給水される（Ｐ３）。給水が終わると、決定された時間の予洗い攪拌（Ｐ４）が始まり、パルセータ７が回転駆動される。パルセータ７が回転すると、洗濯物がパルセータ７の攪拌用突出部１９に引っかかり、内槽４内の洗濯物を撹拌する。予洗い攪拌（Ｐ４）が終わると、制御手段１１にて洗濯水の温度を検知して洗濯水の温度に応じた全運転時間の仮決定を行う（Ｐ５）。
【００２５】
全運転時間の仮決定後、温水ヒータ２２で洗濯水を所定の時間加熱し（Ｐ６）、洗濯水の温度を均一にするためにつけおき攪拌を所定の時間行う（Ｐ７）。つけおき攪拌終了後に再び制御手段１１にて洗濯水の温度を検知して、洗濯水が所定の温度に達したかの判定および洗濯水の温度に応じた全運転時間の見直しを行う（Ｐ８）。洗濯水が所定の温度に達したと判定するまで、温水ヒータによる洗濯水の加熱（Ｐ６）から洗濯水の温度の確認および全運転時間の見直し（Ｐ８）を繰り返す。
【００２６】
洗濯水が所定の温度に達したと判定すると、決定された時間の洗い攪拌１（Ｐ９）が始まり、パルセータ７が回転することで、洗濯物がパルセータ７の攪拌用突出部１９に引っかかり、内槽４内の洗濯物を撹拌して、洗濯物同士、または内槽４の内壁やパルセータ７との接触により作用する機械力と、水流力により衣類から汚れが取り除かれる。洗い攪拌１（Ｐ９）では、定格水位未満での攪拌による洗濯物の傷みを抑えるため、パルセータ７の右回転と左回転の間の時間を４．０秒とする。
【００２７】
ここで、予洗い攪拌（Ｐ４）から洗い攪拌１（Ｐ９）までを１回目の洗い工程とする。１回目の洗い工程が終わると、給水弁１４を洗剤収容容器１５側に開いて再び動作させ、内槽４内に給水が始まり、洗濯物量に応じた水位（決定水位）まで給水される（Ｐ１０）。
【００２８】
給水が終わると、１回目の洗い工程と同様に予洗い攪拌（Ｐ１１）から洗い攪拌２（Ｐ１６）までを行い、これを２回目の洗い工程とする。ただし、洗い攪拌２（Ｐ１６）は洗濯物量に応じた水位（決定水位）での攪拌となる。
【００２９】
次工程のすすぎ（１）工程では、まず排水弁１３を開いて内槽４内の水を排水ホース２０より排水した（Ｐ１７）後、モータ１０の動力を、脱水軸を介し内槽４に伝達して回転させ、衣類に遠心力を与えることにより、水分を衣類から分離する脱水（Ｐ１８）を行う
。そして、衣類の洗剤液を除去するため、滝すすぎを行う（Ｐ１９）。
【００３０】
滝すすぎとは、脱水回転のまま給水弁１４を短時間動作させて衣類に水を注水した後、次に注水を中止して内槽４を惰性回転させて槽から水を抜く、という動作を繰り返し、衣類から洗剤液を分離する一連の動作を意味する。その後、水分を衣類から分離する脱水（Ｐ２０）を行う。
【００３１】
すすぎ（２）工程、つまり最終すすぎ工程では、排水弁１３を閉じたまま給水弁１４を動作させて洗濯物量に応じた水位（決定水位）まで内槽４に給水し（Ｐ２１）、洗濯物の洗剤液を除去するためすすぎ攪拌（Ｐ２２）を行う。
【００３２】
脱水工程では、すすぎ終了後、排水弁１３を開いて内槽４、外槽３内の水を排水ホース２０より排水した（Ｐ２３）後、モータ１０の動力を、洗濯軸８と脱水軸９を介し内槽４及びパルセータ７に伝達して回転させ、衣類に遠心力を与えることにより、水分を洗濯物から分離することで行う（Ｐ２４）。
【００３３】
以上の構成における、作用を説明する。
【００３４】
１回目の洗い工程において、水位が洗濯物量に応じた水位（決定水位）未満となっている。そのため、通常と同量の洗剤量であっても、洗濯水における洗剤の濃度は非常に高くなっている。従って、洗剤を多量に使用しなくても、洗剤による洗浄力を効果的に使用することができる。また、水位が洗濯物量に応じた水位（決定水位）未満となっていることにより、洗濯物量に応じた水位（決定水位）よりも熱容量が小さくなっている。従って、洗濯水を所定の温度まで加熱する際に必要な時間を、通常よりも短い時間にすることができる。それに加えて、洗濯物量に応じた水位（決定水位）の水量よりも少ない熱量で所定の温度まで加熱することができるため、消費電力を低減することができる。
【００３５】
Ｐ６の洗濯水の加熱動作において、温水ヒータ２２による加熱と、モータ１０によるパルセータ７回転を、交互に行っている。従って、洗濯水を加熱しづらい縦型洗濯機であっても、効率よく洗濯水全体を温めることができる。
【００３６】
２回目の洗い工程を行うことで、洗浄効果をより向上させることができる。また、２回目の洗い工程においても温水を用いることで、洗浄効果を保ち続ける効果がある。
【００３７】
１回目の洗い工程において、パルセータ７の間欠運転の停止時間を従来の２倍以上確保することで、パルセータ７の回転が洗濯物に与える衝撃を低減することができる。従って、従来よりも洗濯物の傷みを抑えることができる。
【００３８】
以上のように、実施の形態１における洗濯機は、筺体１と、外槽３と、内槽４と、パルセータ７と、モータ１０と、布量検知手段１８と、給水弁１４と、水位検知手段２１と、温水ヒータ２２と、制御手段１１と、を備える。外槽３は、筺体１の内部に支持される。内槽４は、外槽３の内部に回転自在に支持され、洗濯物を収容する。パルセータ７は、内槽４の内底部に回転自在に設けられる。モータ１０は、内槽４又はパルセータ７を回転駆動する。布量検知手段１８は、内槽４の内部に収容された洗濯物の量を検知する。給水弁１４は、内槽に給水する。水位検知手段２１は、内槽４の内部の水位を検知する。温水ヒータ２２は、外槽３に設けられ、内槽４に貯められた水を加熱する。制御手段１１は、モータ１０、給水弁１４、温水ヒータ２２を制御し、温水洗い運転を実行する。また、制御手段１１は、温水洗い運転において、布量検知手段１８が検知した洗濯物量に応じた水位よりも低い所定の水位まで、給水弁１４による給水を行うとともに、所定の水温となるまで温水ヒータ２２による加熱を行い、続いて、パルセータ７による攪拌回転と回転停止を
交互に行うことで低水位洗い運転を行い、その後、洗濯物量に応じた水位まで給水するとともに、所定の水温となるまで温水ヒータ２２による加熱を行い、続いて洗い運転を行う。
【００３９】
また、本実施の形態のように、制御手段１１は、温水洗い運転において、所定の水温となるまで、温水ヒータ２２による加熱と、パルセータ７による攪拌と、を交互に行い、続く低水位洗い運転では、パルセータ７による攪拌回転と、パルセータ７による攪拌回転よりも長時間の停止を、交互に行ってもよい。これにより、洗濯物が絡みやすい低水位洗い運転において、洗濯物が絡むことを抑制できる。従って、温水洗い運転において、洗濯物を傷めにくい。
【００４０】
なお、上述の実施の形態は、本開示における技術を例示するためのものであるから、特許請求の範囲またはその均等の範囲において種々の変更、置き換え、付加、省略などを行うことができる。
【産業上の利用可能性】
【００４１】
本開示は、回転体を有し、温水を用いて洗い運転を行う洗濯機に適用可能である。具体的には、縦型洗濯機、二槽式洗濯機などに、本開示は適用可能である。
【符号の説明】
【００４２】
１  筺体
２  サスペンション機構
３  外槽
４  内槽
５  脱水孔
６  流体バランサ
７  パルセータ（回転体）
８  洗濯軸
９  脱水軸
１０  モータ（駆動部）
１１  制御手段（制御部）
１２  排水ダクト
１３  排水弁
１４  給水弁（給水部）
１５  洗剤収容容器
１６  柔軟剤収容容器
１７  外蓋
１８  布量検知手段（布量検知部）
１９  攪拌用突出部
２０  排水ホース
２１  水位検知手段（水位検知部）
２２  温水ヒータ（加熱部）
２３  接続ホース
２４  温度検知手段
２５  操作表示部
【図１】
2019187571.tif 000003
【図２】
2019187571.tif 000004
【図３】
2019187571.tif 000005